Podtech/llm-jp-corpus-v4-ja_patent huggingface dataset:
(57)【要約】【課題】従来のグリルで魚類等を焼く場合、横一列の網の為、焼いているものが下の水受け皿に落ち、神経を使っていたが、マス目の網を使うことで水受け皿に落ちる事なく、スムーズに誰でも簡単に焼き上げることを特徴とする。【選択図】図３
2006122614.tif 000002
【特許請求の範囲】
【発明の詳細な説明】
【発明の詳細な範囲】
【技術分野】
【０００１】この発明は、ガスレンジグリル内の焼き網の形状を波状にし、交差させる事で焼いている魚類等が下に落ちることなく焼き上げるものである。
【背景技術】
【０００２】従来、グリルの焼き網は横列のみの網で焼いている。
【発明が解決しようとする課題】
【０００３】それは、次のような問題点があった。
（イ）グリル内で魚・肉・野菜等を焼く時、網の目が横一列である為、魚・肉・野菜等の一部が焼き網の下の水受け皿に落ちる。
（ロ）魚・肉・野菜等を焼く場合、下の水受け皿に落ちて焼きにくい。
本考案は、以上の問題点を解決する為に考案されたものである。
【課題を解決するための手段】
【０００４】従来の横一列の直線形状の焼き網（１）を縦、横列波状形状のマス目にする。又、裏、表の高さを違えることで焼く高さを変えることが出来る。
本考案は、以上の形状よりなるグリル専用の焼き網である。
【発明を実施するための最良の形態】
【０００５】以下、本発明の実施の形態を説明する。
（イ）裏表で足の高さが違う外枠に、編み込み、又は交差させ１ｃｍ〜１，５センチの波状のマス目にした網を溶接する。
【発明の効果】
【０００６】従来のグリル専用網は、横一列の網目の為、下の水受け皿に、焼いているものの一部が落ちたり、水に浸かったり、衛生的に良くないことと、美味しさを失うことがあったが、網をマス目にすることで水受け皿に落ちることなく、焼いたものを裏返しにする際も神経を使うことなく、スムーズに誰にでも簡単に出来る。尚、網を直線でなく、波状にすることにより、はがし易く裏返すのも簡単にしたものである。
又、切り身の魚、薄切り肉、切った野菜、きのこ類等を同時に焼くことが出来て、バラエティー豊かなお弁当作り、おかず作りに時間を掛けずに出来るものである。
【図面の簡単な説明】
【図１】従来の焼き網
【図２】本発明の縦・横を編み込む又は交差にした波状マス目状の網である。
【図３】グリル内で使用している状態
【図１】
2006122614.tif 000003
【図２】
2006122614.tif 000004
【図３】
2006122614.tif 000005
【手続補正書】
【提出日】平成17年1月9日(2005.1.9)
【手続補正１】
【補正対象書類名】特許請求の範囲
【補正対象項目名】全文
【補正方法】変更
【補正の内容】
【特許請求の範囲】
【請求項１】
縦、横列、波形状のマス目にして、裏表の高さを違えることで焼く高さを変えることが出来ることを特徴とする、ガスレンジグリルの焼き網。
(57)【要約】      （修正有）【課題】本体を着脱可能にしてベッドの一部（足側）に装着し、ベッドに居る間は気軽に体調や気分に合せて、足の裏のツボをマッサージや刺激等を行い健康増進を図るための、ベッド付き足裏押圧器を提供する。【解決手段】足裏押圧器本体１の上部に、ピラミッド状に突起したローラー２を設け、本体の両側軸の下部にベッドの床台を挟み、本体を固定するための板４、５と止め具６、７を取り付け、本体の着脱、上下移動を可能にし、両側軸の上部に突起部９を設けたことを特徴とする。【選択図】図１
2006122616.tif 000002
【特許請求の範囲】
【請求項１】
足裏押圧器本体の上部に、ピラミッド状に突起したローラーを設け、本体の両側軸の下部にベッドの床台を挟み、本体を固定するための挟み板と止め具を取り付け、本体の着脱、上下移動を可能にし、両側軸の上部に突起部を設けたことを特徴とするベッド付き足裏押圧器。
【発明の詳細な説明】
【技術分野】
【０００１】  本発明は、足裏押圧器本体の上部に、ピラミッド状に突起したローラーを設け、ベッドの一部（足側）に本体を着脱、上下移動を可能にして装着し、足の裏のツボを満遍なくマッサージや刺激等が行われるようにして、健康の増進を図るためのベッド付き足裏押圧器に関するものである。
【背景技術】
【０００２】  従来の足の裏をマッサージや刺激等を行う器具等は、数多くあるが、使用する段階で問題があり、設置場所によったり、身近になかったりで、身近にあっても、または器具そのものによっても、自分の思うように使用できず、そのため長続きしなく効率の良い活用ができなかった。
また、電動式のものもあるが、自分の気力、力で活用しないので足の筋肉の強化にもつながらなく、高価である等の問題があった。
【発明の開示】
【発明が解決しようとする課題】
【０００３】  これは、次のような欠点があった。
（イ）使用したいときに、身近になかったりの不便があった。
（ロ）器具によっては、身体を移動しなければならない不便があった。
（ハ）使用したり、使用後の管理等にも不便を生じた。
（ニ）足の裏を満遍なく、マッサージや刺激等、効率的に活用できなかった。
（ホ）電動式のものもあるが、自分の力で足の運動をしないため、足の筋肉の増進につながらないし、身近で管理するのが困難な場合もあり、高価なものが多い等の問題があった。
（ヘ）それらにより、利用面において、長続きしない傾向にあったため、真の健康増進を図ることができなかった。
本発明は、以上の欠点を解決するためのものである。
【課題を解決するための手段】
【０００４】  足裏押圧器本体の上部に、ピラミッド状に突起したローラーを設け、本体の両側軸の下部に、ベッドの床台を挟み本体を固定するための挟み板と、止め具を取り付け、着脱、上下移動を可能にし、両側軸の上部に突起部を設けて、全身の神経が足の裏に密集しているといわれているツボを満遍なく、マッサージや刺激等を行なえるようにした、ベッド付き足裏押圧器である。
本発明は、以上の構成よりなっている。
【発明の効果】
【０００５】  本発明は、足裏押圧器をベッドの一部（足側）に装着することにより、ベッドに居る間は、何時でも、誰でもが気軽に自分の体調に合せて、健康増進のために自由に活用できるもので、全身の器官に神経が直結している足の裏のツボをマッサージや刺激等を行うことにより、足の筋肉の増強と、全身の神経を刺激して血流を良くすると共に、内臓や脳の活性化を図ることができる。
また、ベッドに入っているときが、肉体的にも、精神的にも安定しているときであり、体を移動せず、活用することができるため身体に及ぼす効果は大きい。
なお、着脱が可能のため、家庭、病院、諸施設、旅館等どこにでも容易に利用することができ、複雑な現代社会において、一億総健康時代といわれている今日、健康と精神衛生の向上を図るために役立てることができる。
【発明を実施するための最良の形態】
【０００６】  以下、本発明の実施の形態を図面で説明すると。
（イ）押圧器本体（１）に、ピラミッド状に突起させたローラー（２）を設ける。
（ロ）本体の両側の軸（３）、の下部にベッドの床台を挟み、固定する挟み板（４）、挟み板（５）を設け、更に強固に固定するための止め具（６）、止め具（７）、止め具（８）をそれぞれ付ける。
（ハ）本体の両側の軸（３）、の上部に突起部（９）をそれぞれ設け、本体をベッドの床台に、着脱、上下移動が可能に形成する。
なお、ローラー部分を玉状のものを設けても良い。
本発明は、以上の構成よりなっている。
本発明を使用するときは、使用する人がベッドで仰向けに寝ながら、ローラーに足の裏を添えて、強弱、押したり前後の運動を行うもので、体に負担がかからず体勢に無理なく、体の弱い人、手術後の人、健康な人等、誰でもが自由に気分、体調に合せて利用ができる。
また、本発明は、ピラミッド状に突起したローラーを設けているので、足の裏のツボを満遍なく効果的にマッサージや刺激等を行うことができると共に、本体の両側軸の上部の突起部により、さらに足の裏のツボの極部を集中的に、刺激することができる。
【図面の簡単な説明】
【０００７】
【図１】  本発明の斜視図である。
【符号の説明】
【０００８】１  本体
２  ピラミッド状に突起したローラー
３  軸
４  挟み板
５  挟み板
６  止め具
７  止め具
８  止め具
９  突起部
【図１】
2006122616.tif 000003
(57)【要約】【課題】本発明は、一度セットしたネクタイピンが物に当たって動かないようにまたシャツから外れないように固定しておくことができるネクタイ留めを提供する。【手段】強力な磁石（５）の吸着力を利用してネクタイ（１）、（２）とシャツ（３）を重ねて密着させ、片面に鉄製の留め金（４）、反対面に強力な磁石（５）を置き両面からはさんで固定するネクタイ留め具を用いる。【選択図】図１
2006122613.tif 000002
【特許請求の範囲】
【請求項１】
ネクタイを結んだとき、上の太いネクタイと下の細いネクタイとその下のシャツを重ねて、上の太いネクタイの中央部真ん中に鉄製の留め金を置き、反対側のシャツ裏側に強力な磁石を置いて磁石の吸着力を利用して、ネクタイとシャツを両面からはさんで固定するネクタイ留め具を提供する。
【請求項２】
服の襟につけるバッジ・校章、ポケットにつける名札、帽子につける記章等を、ピンやネジを用いて服に穴を開けずに、表側にバッジや名札や記章等を置き、裏側に磁石を置いて、磁石の吸着力を利用して襟やポケットを内側と外側からはさんで固定するとめ具を提供する。
【発明の詳細な説明】
【技術分野】
【０００１】  この発明は、一度セットしたネクタイピンが動かないようにまたシャツから外れないように固定しておくため、強力な磁石の吸着力を利用してシャツとネクタイを重ねて密着させ、片面に留め金反対面に磁石を置きはさんで固定する留め具に関するものである。ネクタイ以外のバッジや名札や記章なども磁石の吸着力を利用して両面からはさんで固定すれば、ピンやネジを用いた時のように、服に穴を開けずにバッジや名札を服につけることができる。
【背景技術】
【０００２】  従来、ネクタイはネクタイピンを用いてネクタイとシャツをピンではさんで固定する方法が一般的であった。
【発明の開示】
【発明が解決しようとする課題】
【０００３】  ネクタイをピンではさんで固定する方法は、ピンが物に当たって動いたりネクタイがシャツから外れたりして一日に何度も、セットしなおしたりピンの位置を修正する必要があった。
【課題を解決する手段】
【０００４】  磁石（５）の吸着力を利用してネクタイ（１）、（２）とシャツ（３）を両面からはさんで固定する。外側に鉄製の留め金（４）内側に磁石（５）を置きその間に長いネクタイ（１）と短いネクタイ（２）とシャツ（３）の扉の裏をはさんで固定する。これと同様の方法でバッジ（７）や名札を服の襟（６）やポケットに磁石（８）の吸着力によって固定する事が可能になり、記章を帽子に固定することも可能になる。
【発明を実施するための最良の形態】
【０００５】  以下、本発明の実施の形態を説明する。
ネクタイの太い部分（１）と細い部分（２）とシャツ（３）を密着させ、ネクタイ（１）の表面に鉄製の留め金（４）を置き、反対面のシャツ（３）の裏面に強力な磁石（５）を置き、両側からネクタイ（１）と（２）とシャツ（３）をはさんで固定して使用する。ネクタイを外す時は留め金（４）と磁石（５）を分離する。紛失を防ぐため留め金（４）と磁石（５）を吸着させて保存する  ネクタイ以外のバッジ（７）や名札や記章でも同じ方法で、襟（６）やポケットなどの布を、磁石（８）の吸着力を利用して両面からはさんで固定すればピンやネジを使った時のように服に穴を開ける必要はない。
【発明の効果】
【０００６】  ネクタイとシャツを磁石の吸着力を利用して両側からはさむ方式なので固定されている部分はネクタイの中央部分だけであり物に当たって動かされることがない。磁石の吸着力が強いので磁石と留め金が落下することはない。ピンやネジを用いないので服の生地を傷つけたり穴を開けることがない。装着取り外しが容易であることを特徴とする。
【図面の簡単な説明】
【０００７】
【図１】  本発明の正面図
【図２】  本発明の側面図
【図３】  本発明の正面図
【図４】  本発明の側面図
【符号の説明】
【０００８】（１）ネクタイ（太い部分）    （２）ネクタイ（細い部分）    （３）シャツ    （４）鉄製の留め金    （５）磁石    （６）服（シャツ）の襟    （７）バッジ    （８）磁石
【図１】
2006122613.tif 000003
【図２】
2006122613.tif 000004
【図３】
2006122613.tif 000005
【図４】
2006122613.tif 000006
(57)【要約】【課題】  回復途上の患者がベットで、医師の指導の下で自発的にリハビリが出来る装置を提供する。【解決手段】  ベットをソファーとして使用出来る可動の装置と、リハビリの出来る装置を備えた、リハビリベット。【選択図】  図１
2006122605.tif 000002
【特許請求の範囲】
【請求項１】
事故の怪我や、脳梗塞等の病気で回復途上の入院患者のベットがソファーになり、腰掛けで食事や会話が出来、足腰の屈伸、歩行訓練、ペダル漕ぎ運動のリハビリが出来る手動叉は電動で自分で操作するセルフ・リハビリベット。
【発明の詳細な説明】
【技術分野】
【０００１】  本発明は事故による怪我や脳梗塞等の病気で入院し、いろいろなリハビリをして、回復に努めるが、それには根気が必要である。自発的に自分でリハビリをする事は心理的にも肉体面でもプラスとなり、回復を早める。自己のやる気を起こすリハビリベットに関するものである。
【背景技術】
【０００２】  従来は、病院内ではリハビリをリハビリの部屋で医師や専門の指導員の指導で行うために、時間が限られる。歩行練習は点滴ポールを片手に指導員の付き添い等でリハビリをしているが、大変である。腰掛け式のベッドや歩行訓練やペダル漕ぎ運動のリハビリが出来るベットは無い。【０００３】  回復途上の患者は椅子に腰掛けて、食事を好むものが多い、面会者と腰掛けて話をしたい、温湯の足治療は、腰掛けが望まれる。
【発明の開示】
【発明が解決しようとする課題】
【０００４】
【０００５】  解決しようとする問題点は、「ベット内で食事や面会者への対応が腰掛けでしたい、叉ウオーカーによる歩行訓練や、ペタル漕ぎ運動が出来る事、また温湯足治療がベットで出来れば」の回復途上の患者の声を実現するために、ベットの改革を求められた。病室内でも少しでもリハビリを心がけ、自分の根気で、一日でも早い退院の目標を持たせたい。
【課題を解決するための手段】
【０００６】  本発明の回復途上の患者のリハビリベットは、患者自身が単純に操作出来る事、ベット内で腰掛けての食事や面会者への対応が出来るための、椅子式可動装置を備えている。手動（ハンドル手回し）又は自動（電動モーター叉は油圧式）により、椅子式になり、ペダル漕ぎ運動も出来る。ベットの高さも、手動又は自動にて、高さの調整が出来る事により、自発的にリハビリを医師等の指導のもとに出来るのを特徴とする。叉フラットウオーカーによる歩行訓練用及びペタル漕ぎ用手摺り装置、温湯足治療のための携帯湯槽を装入することが出来る。
【発明の効果】
【０００７】  本発明のリハビリベットは、医師の指示により自発的に、リハビリが出来るのは心理面による効果と肉体的な効果の相乗効果があり、回復を早める。
【発明を実施するための最良の形態】
【０００８】  ベット骨組みは、錆びない軽量な鋼材を使用する。低反発フォームマットレスを使用し、ブレーキ付きキャスター、ブレーキ付きペダルを設け、組立接合は溶接接合とする。
【実施例】
【０００９】  図１はセルフリハビリベット側面図である。【００１０】  軽量形鋼に所用数個の穴を設けたフラットバーを長方形に溶接合のフレーム（１）の一端に穴加工のリクライニング用ハンドル受け（１ｈ）を設けたフレームの、巾の内側にそれぞれ１／３に所
2006122605.tif 000003
型（３）の一端と曲がり部に穴を設ける、フラットバー（３’）の両端に穴を設けた部材を二組ずつ加工し、リクライニング用フレーム（３）を組む、パイプ（３Ｐ）はリクライニングフレームに溶接合し組み上げる。その一端足もたれ部の先端に数個の小穴を設けたパイプ（３Ｐ１）を接合、その上に溝型の１／３を切り、差し込み重ね部に穴を設け、その穴にブレーキ用小円盤を取付けの（３Ｍ）に、ペダル（３ＰＰ）を組み込む。このリクライニングフレームをフレーム（１）に嵌め込むにはパイプ（３Ｐ）の穴に丸鋼（３Ｐｍ）をそれぞれ貫通溶接合する。ベット床骨組みが組み上がる。その上にエキスパンドメタルを接合する。溝形鋼支柱（４）１／２の長さの一端に穴を設け他端は底を切断し、重ね差し込み大きい穴を設けた４組みの支柱。短丸鋼（４Ｍ）の側面に雌ネジを設ける、二組の丸ナット。短丸鋼（４Ｗ）の側面に穴を設けた二組の丸ワッシャー。丸鋼の１／３の一端に雄ネジを設け他端にピン穴二個を設けその先に回転ハンドルを設けた床高さ調整シャフト（７）。溝形鋼を長方形に溶接合の支柱固定フレーム（５）にストッパー付きキャスター（６）を溶接合する。フレーム（１）に溶接合の手摺り支柱（８）を溶接合し、その支柱に取付の可動手摺り（９）背もたれ部の背部（３）に嵌め込み固定し肘掛けとなる。フレーム（１）に固定のサイドプレート（１１）フレームにはめ込みのマットレス、以上手動リハビリベットである。これら手動を、電動式の電動モーターで手元スイッチ操作でソファーとなり腰掛や立つことが自由で、リハビリが出来る。油圧使用も出来る。
【産業上の利用可能性】
【００１１】  病院等でリハビリをするにはリハビリ用の部屋で行うが、部屋の都合や医師・指導員の都合で時間が限られ、患者の積極的な回復努力が妨げられる、著名な医師が「患者にはスピリットが大事である」と言われたが、これに応えるのがこのリハビリベットであり、早い回復に大いに役立つものである。
【図面の簡単な説明】
【００１２】
【図１】    リハビリベット側面図である。
【図２】    リハビリベット模型写真である。
【図３】    リハビリベット骨組み平面図である。
【図４】    リハビリベット骨組み側面上がり下がり図である。
【図５】    リハビリベット床平面図ある。
【図６】    リハビリベット斜視写真である。
【符号の説明】
【００１３】  １      リハビリベット床外フレーム
２      リハビリベット床中フレーム
３      リクライニングスライド背もたれと、足もたれの連動フレーム
３’    連動フレーム接続バー
３”    リクライニング用雌ネジ付き可動ハンドルパイプとシャフト
３Ｂ    ペダルのブレーキ用円板
３Ｈ    雄ネジシャフトと手動ハンドル
３Ｐ    背もたれと床フレーム接続パイプ
３Ｐ１  ブレーキ付きペダルフレーム受けパイプ
３Ｐｐ  リハビリペダル
３Ｐｍ  接続丸鋼
３Ｍ    ペダル高さ調整溝形鋼
３Ｘ    マット受けエキスパンドメタル（ＸＳ）
４      溝形鋼支柱（二つ折れ）
４Ｍ    短丸鋼雌ネジ
４Ｗ    短丸鋼ワッシャー
５      溝形鋼支柱固定とキャスター取付フレーム
６      ブレーキ付きキャスター
７      支柱高さ調整雄ネジ切りハンドル付きシャフト。１１外倒し可動サイドレール
８      手摺り支柱                                  １２  ヘットボード
９      歩行可動手摺り                              １３  マットレス
１０      背もたれ可動手摺り                          １４  マットスライドレール
【図１】
2006122605.tif 000004
【図２】
2006122605.tif 000005
【図３】
2006122605.tif 000006
【図４】
2006122605.tif 000007
【図５】
2006122605.tif 000008
【図６】
2006122605.tif 000009
(57)【要約】【課題】  紙巻器の使用時にロールペーパーを引き出しやすくするために、紙切板の歯の中央に凸部の歯を設けた、引き出しつまみ付紙切板紙巻器に関するものである。【解決手段】  ロールペーパーをおおうカバー紙切板の歯の中央に凸部の歯を設け、ペーパー切断後に凸部の歯内側のペーパーつまみ部をつまんでペーパーを引き出しやすくすることを特徴とする、引き出しつまみ付紙切板紙巻器。【選択図】  図１
2006122604.tif 000002
【特許請求の範囲】
【請求項１】
ロールペーパーをおおうカバー紙切板の歯の中央に凸部の歯を設け、ペーパー切断後に凸部の歯内側のペーパーのつまみ部をつまんで、ペーパーを引き出しやすくすることを特徴とする、引き出しつまみ付紙切板紙巻器。
【発明の詳細な説明】
【技術分野】
【０００１】  本発明は、紙巻器の使用時にロールペーパーを引き出しやすくするために、紙切板の歯の中央に凸部の歯を設けた、引き出しつまみ付紙切板紙巻器に関するものである。
【背景技術】
【０００２】  従来、紙巻器の切断部の歯は直線なので、ペーパーを切断した時の切り口部も同じように、それにそって一直線で切れていた。
【発明の開示】
【発明が解決しようとする課題】
【０００３】  そのために次のような問題点があった。
ペーパーの切り口部と紙切板の歯と同じ直線にならんでいるために、つかむ所がなく引き出しづらかった。
本発明は、以上の問題点を解決しようとするものである。
【課題を解決するための手段】
【０００４】  ロールペーパーのおおうカバー紙切板の歯の中央に凸部の歯を設け、ペーパー切断後に凸部の歯内側のペーパーつまみ部つまんで引き出しやすくする。以上を特徴とする、引き出しつまみ付紙切板紙巻器である。
【発明の効果】
【０００５】  使用後も、次に使う人が同じように紙切板凸部の歯内側にあるペーパーつまみ部をつまんで引き出せるので、わずらわしさがない。またペーパーを引き出そうとする時、あやまって反対にロールを押し込んで回してしまい、引き出すのに苦労することも少なくなる。
【発明を実施するための最良の形態】
【０００６】  以下、本発明の実施の形態について説明する。
紙巻器のロールペーパー（４）をおおうカバー紙切板（１）の切断する歯（２）の中央に凸部の歯（３）を設ける。
本発明は以下のような構成でこれを使用するときは紙巻器のロールペーパー（４）のおおうカバー紙切板（１）の切断する歯（２）の中央凸部の歯（３）内側のペーパーつまみ部（５）を指でつまんで、ペーパー（６）を引き出し、歯の中央凸部の歯（３）で、ペーパー（６）を上に引き上げて切り、穴をあける。その後、従来の方法でペーパー（６）を横に切断することにより、ペーパーの切り口部（７）とペーパーのつまみ部（５）のついたペーパー（６）ができる。また、使用後は次の人にもくり返し使えるように中央凸部の歯（３）の形の切口がついたペーパーのつまみ部（５）とペーパー（６）が内側に残る。
【図面の簡単な説明】
【０００７】
【図１】本発明のロールペーパーをセットした斜視図
【図２】本発明のロールペーパーを引き出した斜視図
【図３】本発明のロールペーパーをセットした側面図
【図４】本発明のロールペーパーと一部を切り欠いた側面図
【図５】本発明の使用状態を示す斜視図
【符号の説明】
【０００８】    １  切紙板
２  切断する歯
３  凸部の歯
４  ロールペーパー
５  ペーパーつまみ部
６  ペーパー
７  ペーパーの切り口部
【図１】
2006122604.tif 000003
【図２】
2006122604.tif 000004
【図３】
2006122604.tif 000005
【図４】
2006122604.tif 000006
【図５】
2006122604.tif 000007
(57)【要約】【課題】  性交渉後の女性の膣内に残った男性精液を除去する。それによって妊娠の確率を低くする。【解決手段】  膣内に残った精液を、小型モーターによりプロペラを回転させ外気を取り込み、風圧によって精液を移動させて吸引する【選択図】  図１
2006122602.tif 000002
【特許請求の範囲】
【請求項１】
性交渉後の女性の膣内に残った男性精液を、小型モーターによりプロペラを回転させ外気を取り込み、風圧によって精液を移動させて吸引する機械。
【請求項２】
電池を使用する事により、小型で携帯できる。さまざまな場所で使用可能。
【発明の詳細な説明】
【発明の詳細な説明】
【技術分野】
【０００１】    本発明は、性交渉後の女性の膣内に残った男性精液を、小型モーターによりプロペラを回転させ外気を取り込み、風圧によって精液を移動させて吸引する機械。電池を使用する事により、小型で携帯できる。さまざまな場所で使用可能。
【背景技術】
【０００２】  従来の膣洗浄機などでは、低周波の振動による方法が取られていたが、風圧によって精液を吸引させるものはなかった。【０００３】
【特許文献１】  特開２００４−２２２９８８号公報
【発明を実施するための最良の形態】
【０００４】  性交渉後の女性の膣内に残った精液を取るために、図１の筒状の先端部を膣の中へ挿入する。スイッチＣを入れると、モーターＥに連動したプロペラＦが外気吸入口Ｂより外気を取り込み膣内に空気を送る。風圧により精液が移動し吸引口Ａ１へ集められる。また筒を前後に動かす事により、積極的に精液を吸引し除去することができる。吸引された精液は、筒内を通りＡ２の部分に溜められる。空気はフィルターＡ３を通り排出口Ａ４より排出される。外気吸入口Ｂ１より吸入された空気はＢ２より排出される。
【発明の効果】
【０００５】  女性が男性との性交渉後に膣内に残った精液を素早く除去できる。小型で携帯できるのでさまざまな場所で利用できる。妊娠の確率を低くし、安心感を得ることができる。
【図面の簡単な説明】
【図１】  女性膣用吸引機の断面図である。
【図２】  筒を前から見た図である。
【図３】  筒を後ろから見た図である。
【符号の説明】
Ａ１  吸引口
Ａ２  精液を溜めておく場所
Ａ３  フィルター
Ａ４  排出口
Ｂ１  吸入口
Ｂ２  排出口
Ｃ    スイッチ
Ｄ    電池
Ｅ    モーター
Ｆ    プロペラ
【図１】
2006122602.tif 000003
【図２】
2006122602.tif 000004
【図３】
2006122602.tif 000005
(57)【要約】      （修正有）【課題】  脚が弱い人に安価で簡単な運動をする器具を与える。【解決手段】手で支える把手の両端と中央に固定されたゴムなど弾性体の抵抗力を利用して、交互または片方づつ踏み込むことにより、膝が弾性体に邪魔される事なく、脚の運動量を多くする。【選択図】図１
2006122601.tif 000002
【特許請求の範囲】
【請求項１】
ほぼ人体の幅の長さの把手１、を作る
杷手１の両端２、と２、に所定の長さのゴムなど弾性体紐３、の両端４、４、をそれぞれを固定し、弾性体紐３、の中央部５、を把手１、の中央部６、に固定して作られた健康器具。
【発明の詳細な説明】
【技術分野】
【０００１】  本発明は、脚の弱っている人たちが簡単に床の中やベットの上で脚などの運動ができるように作られた、安価で安全な運動器具に関する。
【背景分野】
【０００２】  車社会といわれる現在、脚の運動量が少なくなり、太股が痩せて歩く機能が衰えて来る人が多い、これらの人には、普通１日に１００００歩歩くようにいわれるが、時間的にまた場所や天候によって左右され、出来がたいことが多い。また介沿い人を必要とするリハビリなどを必要とするする人も多い。
【特許文献１】特開２００４−１９５７３１号
【実用新案文献１】
実新登録番号３０３６９７９号
【発明の開示】
【発明が解決しようとする課題】
【０００３】  床の中やベットの上などでも安全簡単に脚の運動が出来るようにすること。脚を折った場合膝が邪魔にならない器具であること、短時間に大きい運動量が得られ事を課題とする。
特開２００４−１９５７３１号はスタンドなど必要とするので、簡単に移動できない欠点がある。また両足の運動が、それぞれ別に出来たり、一緒に出来なければならない。このことは身体障害者のリハビリにおいて重要な要因となる。
実新登録番号３０３６９７９号は片足づつより運動が出来ない欠点とひざに弾性体が当たる欠点がある。
【課題を解決するための手段】
【０００４】  本発明は、ほぼ人体の幅の長さを有する杷手１、の両端２、と２′、に所定の長さのゴムなど弾性体３、の両端４、４′、をそれぞれ固定し、弾性体紐３、の中央部５、を把手１、の中央部６、に固定する。この場合、弾性体３、の長さは、ひざを曲げて足を余裕部分７、７′、に当たるようにしておく。
【発明の効果】
【０００５】  把手１、を手で支え、２、２′、および６、に固定された弾性体３、の余裕部分７、７′、に足をかけ、ひざに弾性体３、が邪魔されずに踏み込む運動ができるので、脚の筋肉の鍛練が出来る。また両脚同時にあるいは交互に踏むことができる。
【発明を実施するための別の形態】
【０００６】  把手１、がパイプで作られ、中央部分に２個の穴８、８′、が開けられ、第２図のように弾性体紐３、を通し適当な長さで結んでおくなどは任意である。
また、弾性体３、の余裕部分７、７′、に踏み部分９、９′、を儲けるのも任意であり、手で支える代わりに把手１、から首などにかける紐１０、を設けるのも任意である。
【実施例】
【０００７】  把手１、を手で支え、弾性体３、の余裕部分７、７、に足をかけて踏み込む運動をする。運動は脚の運動みならず、腹筋などの鍛練にも利用できる。
【図面の簡単な説明】
【０００８】
【図１】本発明の正面図
【図２】本発明の別の形態であるパイプで作られた把手１１、への弾性体３、の通し方の図
【図３】把手１、を手で支える代わりに首などへかける紐１０、を設けた図
【図４】使用図
【符号の説明】
【０００９】  １、        把手
２、２′、  把手の両端
３、        ゴムなど弾性体
４、４′、  ゴムなど弾性体の両端
５、        ゴムなど弾性体の中央部
６          把手の中央部
７、７′、  足をかける余裕部分
８、８′、  パイプで作られた把手の中央部分に設けられた２個の穴
９、９′、  踏み部分
１０、      首などにかける紐
１１、      パイプで作られた把手
【図１】
2006122601.tif 000003
【図２】
2006122601.tif 000004
【図３】
2006122601.tif 000005
【図４】
2006122601.tif 000006
(57)【要約】【課題】  やかんでお湯を沸かす時、適量を量れるように側面に計量メモリの付いた透明な窓を設けたやかんを提供する。【解決手段】  やかん（１）の一部に（２）穴、又は切り込みを設け、そこに計量メモリ付きの耐熱性の透明な物質をはめ込むことを特徴とする。【選択図】  図１
2006122607.tif 000002
【特許請求の範囲】
【請求項１】
計量メモリの付いたやかんであってやかんの側面の一部が透明になっていて、中の様子が分かるようになっている。そしてその透明な部分に計量用のメモリがふってあるやかんである。
【請求項２】
前記計量用のメモリが付いている耐熱性の透明な物質は何でもよい（例：耐熱ガラス）。中の水の量が分かることを特徴とする請求項１記載の計量メモリ付きやかん。
【請求項３】
前記メモリ付き耐熱性透明物質は正確な量を測れるようになるべく下の位置から取り付ける。又、取り付け方法は、側面に穴をあけるか、又は、上下どちらかから切れ込みを入れ、そこにはめ込むように取り付けることを特徴とする請求項２記載の計量メモリ付きやかん。
【発明の詳細な説明】
【特許請求の範囲】
やかんの側面に計量メモリ付の透明な窓を設け、中の水の量を計量できるやかん。
【発明の詳細な説明】
【技術分野】
【０００１】  この発明は、やかんの側面の一部にメモリ付きの耐熱性の透明な物質をはめ込み中の水の量を計量できるようにしたやかんに関するものである。
【背景技術】
【０００２】  従来、やかんで正確な量のお湯は、沸かせなかった。【０００３】
【特許文献１】特開２００２−１２５８５２号公報
【発明が解決しようとする課題】
【０００４】  これはつぎのような欠点があった。
従来、必要な量のお湯を沸かす時は、予めカップ等を使って水の量を量ってからそれをやかんに入れて沸かしていた。又、適当に沸かすと余計に水とガスをつかってしまってとても無駄が多かった。
本発明は、以上のような欠点をなくすために考えたものである。
【課題を解決するための手段】
【０００５】  やかん（１）の一部に計量用のメモリ付きの耐熱性の透明な物質（２）をはめ込む、本発明は、以上の構成の計量目盛り付きやかんである。
【発明を実施するための最良の形態】
【０００６】  以下、本発明の実施の形態について説明する。
やかん（１）の一部に穴、又は切れ込み設け、そこに計量用の目盛りを付けた耐熱性の透明な物質（２）をはめ込みやかん本体に固定する。
【発明の効果】
【０００７】  やかんに計量用の目盛りが付いているので、正確に必要な量のお湯を沸かすことができる。
必要以上の量を沸かさないので、水もガスも節約できる。
【図面の簡単な説明】
【図１】  本発明の斜視図である
【符号の説明】
１  やかん
２  計量メモリ付き耐熱性の透明物質
３  取り付け部品
【図１】
2006122607.tif 000003
(57)【要約】【課題】病院・診療所・患者宅における点滴治療の際の、点滴の速度を決める滴下滴数の計算の簡略化を課題とする。【解決手段】上記課題を解決するために、請求項１記載の点滴滴数早見表は、点滴セットごとに、縦に時間、横に点滴量の項目を作り、両者の交叉部に該当する点滴滴数を記載した。病院・診療所・患者宅で点滴を行う際に、その点滴滴数をいちいち計算しなくても、１分間の点滴滴数早見表を見るだけで滴数を知ることができる。【特許請求の範囲】
【請求項１】
市販の輸液セット、１ｍｌ／１５滴、１ｍｌ／１９滴、１ｍｌ／２０滴、１ｍｌ／６０滴のそれぞれに対応した表の印刷物である。
【請求項２】
表の縦または横に、輸液量または時間の数値をとり、その交叉部にそれぞれの量と時間に対応した点滴滴数を計算した数値を記入する。
【発明の詳細な説明】
【技術分野】本発明は病院・診療所・患者宅における点滴治療の際に、点滴の速度を決めるのに必要な、点滴の落下滴数に関する。
【発明の開示】
【発明が解決しようとする課題】
【０００１】従来は点滴の落下滴数を求めるのに、点滴セットごとに異なる、１ｍｌに必要な滴数をもとに、点滴量と時間を計算して、落下滴数を決めていた。【０００２】そこで本発明は、計算することなく、表を見るだけで落下滴数を知ることができるようにすることを課題とする。
【課題を解決するための手段】上記課題を解決するために、請求項１記載の点滴滴数早見表は、点滴セットごとに、縦に時間、横に点滴量の項目を作り、両者の交叉部に該当する点滴滴数を記載した。
【発明の効果】本発明はつぎのような効果を奏する。
請求項１に記載されている発明は、各点滴セットごとに点滴量と時間ごとの点滴滴数をあらかじめ計算して記載してあるので、病院・診療所で点滴を行う際に、その点滴滴数をいちいち計算しなくても、点滴滴数早見表を見るだけで知ることができる。
【発明を実施するための最良の形態】病院・診療所・患者宅において点滴を行う際、実施する看護師が、医師の指示する時間と量にあわせて点滴できるよう、この表を見て、点滴の落下滴数を知り、点滴を行う。
【表の簡単な説明について】
【０００１】
【表１】
市販の点滴セットのうち、１ｍｌに１５滴を要するセットの点滴滴数早見表
【表２】
市販の点滴セットのうち、１ｍｌに１９滴を要するセットの点滴滴数早見表
【表３】
市販の点滴セットのうち、１ｍｌに２０滴を要するセットの点滴滴数早見表
【表４】
市販の点滴セットのうち、１ｍｌに６０滴を要するセットの点滴滴数早見表
2006122637.tif 000002
2006122637.tif 000003
2006122637.tif 000004
2006122637.tif 000005
(57)【要約】      （修正有）【課題】ボールなどの投擲の練習を行う訓練用具を提供する。【解決手段】この発明は、野球用のボールに、又は円盤投げの円盤に、取り付け部を左右離して、ロープを取り付け、グリップを形成する。さらに手首にかけられるように、輪を作って、ひっかけ部を形成する。手首にひっかけ、ボールを手にし、投球のモーションを大きく取りながらボールを投げる、その瞬間グリップをつかむ。居ながらにして、又は室内で、ボールを投げた実際感が得られ、グリップをつかむ事により、ボールの重みで、遠心力が大きく前方に働く為、腕がひっぱられ、その流れに身体をのせながら、より前で、ボールを離す。これをくり返すことにより、より前で、ボールを離す事が出来るようになる。【選択図】図１
2006122632.tif 000002
【特許請求の範囲】
【請求項１】
野球用ボールに、又は円盤投げ用の円盤に、ロープを左右から離して、取り付け、グリップを形成すると共に、手首に、かけられるよう、ひっかけ部を取り付け形成する。
以上の如く構成された投てき器具
【発明の詳細な説明】
【発明の詳細な説明】
【０００１】〔産業上の利用分野〕
この発明は、野球用のボールに、又は円盤投げの円盤に取り付け部を左右離して、ロープを取り付け、グリップを形成する。
さらに、手首にかけられるように輪を作って、ひっかけ部を形成する。
手首にひっかけ、ボールを手にし、投球のモーションを大きく取りながら、ボールを投げる。その瞬間グリップをつかむ。居ながらにして、又、室内で、ボールを投げた実際感が得られ、グリップをつかむ事により、ボールの重みで、遠心力が大きく前方に働く為、腕がひっぱられ、その流れに身体をのせながら、より前でボールを離す。これをくり返す事により、より前でボールを離すことが出来るようになる投てき器具に関するものである。
【０００２】〔従来の技術〕
従来、練習用投てき器具は、あったが、筋力をきたえるだけの物であって、居ながらにして、又は、室内で、投球した実際感が得られる器具はまだ作られてない。
【０００３】〔発明が解決しょうとする課題〕
従来、練習用の投てき器具はあったが筋力をきたえるだけの物であって、居ながらにして、又は室内で、投球した実際感が得られる器具はまだなかった。
【０００３】〔発明が解決しょうとする課題〕
上記の欠点を除去すると共に居ながらにして、又室内で、ボールを投げた実際感を得ながら、さらにボールの重みで遠心力が大きく働き、腕が伸びる為、身体が大きくかたむき、より前で、ボールを離す訓練が出来るようになる投てき器具を開発しようとするものである。
【０００４】〔課題を解決する為の手段〕
その解決手段を図面に追いながら説明すれば
イ、（１）ボール、又は円盤に（２）取り付け部を離して、（３）ロープを取り付ける
ロ、その（３）ロープを、つかみやすいように合せて、（５）グリップを形成する。
ハ、（３）ロープを手首にひっかけられる様に（４）ひっかけ部を形成する。
【０００５】〔実施例〕
以上の様な構造であり、これを使用することにより、手首に、先端のひっかけ部をかけて、ボールを持ち、投球する、モーションを取る、そして、ボールを投げたその瞬間、グリップをつかむ事により、投球した実際感が得られ、さらに、ボールの重みで前方に大きく遠心力が働く為、腕が引っぱられ、同時に身体がのせられ、ホロースローが大きく取れる、その為、より前でボールを離す訓練が出来、身体がそのように覚えるから実戦でも、そのようなホームが出来る。直、グリップをにぎらないと、ボールは下に落ちるからホロースローは大きく取れない、その他、ソフトボール、やり投げ、砲石投げなど、投てき運動にも応用出来る。訓練することによって、腕の振りが非常に早くなる。
【０００６】〔発明の効果〕
室内で、居ながらにして、投球した実際感を得ながら、さらに、ホロースローを大きく取りながらより前の方行で、ボールを離すようになる訓練が出来る。又、投球することのみならず、バッティンクのホーム作りにも効果を発揮する。ちなみに、３０ｍしか投球出来なかった５０代の男性がこの投てき器具を１ヶ月程使用し、投球してみたらなんと若い時の記録７０ｍにもどっていた。
【図面の簡単な説明】〔図１〕
本発明投てき器具の側面図
〔図２〕
本発明投てき器具の平面図
【符号の説明】
１  は、  ボール又は円盤
２  は、  取り付け部
３  は、  ロープ
４  は、  ひっかけ部
５  は、  グリップ
６  は    手
【図１】
2006122632.tif 000003
【図２】
2006122632.tif 000004
(57)【要約】【課題】本発明は足腰をきたえるため、ウォーキング及器具などで筋力トレーニングをしているが、かなり膝、脚、腰に体重の負担が、かゝっている。足や腰に無理の出来ない人も多くいる。それ故家の中で簡単な方法で体重を浮かせ、足腰に無負荷の状態を作り出し、誰にでも種々の運動で筋力増強トレーニングの出来る器具を提供する。【解決手段】鉄製パイプを構造支持本体（１）として腹部、胸部を三本の支持ベルト（３）を使い背中部に取付けた背板（７）にしっかり緊結し吊ベルト（８）に肘を入れ前傾姿勢をとり足をステップペタル（４）よりはずし体全体を宙に浮かせます。膝、脚部、腰部が体重負担がなくなり楽に空中トレーニングが出来る。【選択図】図１
2006122633.tif 000002
【特許請求の範囲】
【請求項１】
鉄製パイプの構造支持本体（１）にうしろ向きで、フットパイプ（４）にのり背パイプ（２）に背板（７）がついているので背中を背板（７）に当て３本の体重支持ベルト（３）で腹と胸部を緊結する。吊ベルト（８）に肘を入れ両手で握りパイプ（５）を握る。背板は回転軸（６）で回転するので体を前傾姿勢にしてフットペタル（４）から足をはなす。全身が宙にうきます。運動開始できる。
【発明の詳細な説明】
【発明の詳細な説明】
【技術分野】
【０００１】本発明は鉄製パイプを構造支持本体とし、背パイプに取付けた背板に、三本の支持ベルトで腹部と胸部を緊結し、上体を傾斜することにより、体全体を宙にうかせ膝、脚、腰に体重無負担の状況をつくり、膝、脚部、腰部を楽々とうごかし、運動が出来る装置に関するものである。
【発明が解決しようとする課題】
【０００２】ウォーキング等のトレーニングは膝、脚部、腰部にかなりの体重負担がかゝり、その部分に無理のかけられない人も多くおります。機械的に、体重負担をとり除いた状況下で、膝、脚部、腰部の筋力増強運動を行う。
【課題を解決する手段】
【０００３】鉄製パイプを構造支持本体（１）とし腹部及び胸部を三本の体重支持ベルト（３）を使い背中部に取付けた背板（７）にしっかり緊結し吊ベルト（８）に肘を入れ前傾姿勢をとり、ステップペタル（４）より足をはずし体全体を宙にうかせる。膝、脚部、腰部が体重無負担で空中運動する。
【発明を実施するための最良の形態】
【０００４】以下、本発明の実施の形態を説明する。
（イ）鉄製パイプの骨組で構成する構造支持本体（１）のステップペタル（４）にのぼり、背中のあたるところの背板（７）に取付けた三本の支持ベルト（３）で腹及び胸部にしっかり緊結する。吊ベルト（８）に肘を入れ両手で握りパイプ（５）を握り、前傾に体重をかけステップペタル（４）から足をはずすと体が気持よく宙にうき種々の運動のスタートが出来る。
（ロ）足を交互に出し、空中ウォーキング、膝屈伸、足先の交互半回転で腰のひねり、腕をのばして体操選手なみ脚前挙（図２）胸はり足のばしで腰、腹筋運動（図３）腕のばし懸垂運動、空中自転車こぎなど体重がかゝらず楽々運動出来る。
【発明の効果】
【０００５】体重負担なく、膝、脚部、胸部、腹部、腰部、背骨部の筋力運動が出来る。
【図面の簡単な説明】
【図１】本発明の垂直基本形斜視図
【図２】本発明の脚前挙形斜視図
【図３】本発明の背のばし形斜視図
【符号の説明】
（１）構造支持本体（２）背パイプ（３）体重支持ベルト（４）フットペタル（５）握りパイプ（６）回転軸（７）背板（８）吊ベルト
【図１】
2006122633.tif 000003
【図２】
2006122633.tif 000004
【図３】
2006122633.tif 000005
(57)【要約】      （修正有）【課題】踏段とスカートパネルとの隙間を広めることもなく、安全部材を配置する。【解決手段】乗客の乗る踏板１がスカートパネル２に面して傾斜状態で移動するエスカレータにおいて、該スカートパネルには該踏板側に突出しないように円盤１０を回動自在に設ける。さらに、該円盤の中心を該踏板付近に配置するとともに、欄干内部への移動も可能にするものである。そして、円盤を単に回動自在にスカートパネルに設けるだけでなく、欄干内部方向に移動自在に取付けて、踏段とスカートパネルとの隙間に挟まれた異物によって欄干内部方向に円盤が移動すれば、スイッチが働きエスカレータを停止させるようにしてもよい。【選択図】図１
2006335557.tif 000002
【特許請求の範囲】
【請求項１】
乗客の乗る踏板がスカートパネルに面して傾斜状態で移動するエスカレータにおいて、
該スカートパネルには該踏板側に突出しないように円盤を回動自在に設けたことを特徴とするエスカレータの安全装置。
【請求項２】
前記円盤の中心を該踏板付近に配置したことを特徴とする請求項１に記載のエスカレータの安全装置。
【発明の詳細な説明】
【技術分野】
【０００１】
本発明は、エスカレータの安全装置の改良に関するものである。
【背景技術】
【０００２】
図３に示す従来のエスカレータにおいて、運転中に乗客の靴、衣服などが踏段１とスカートパネル２との間に挟まれる事故が頻発している。特に、上昇運転の場合に傾斜移動領域で、乗客が不用意に靴３をスカートパネル２に押し付けると、図４に示すようにスカートパネル２は静止しているため、靴３とスカートパネル２との摩擦により、踏段１とスカートパネル２との僅かな隙間Ｇの中に靴3が引き込まれてしまう。
【０００３】
このため、図５に示すように、スカートパネル2に無数の回転体４を表面の一部が踏段１側へはみ出すように回動自在に設ける安全対策が提案されている。
【特許文献１】実開昭５７−１９１７７６号
【発明の開示】
【発明が解決しようとする課題】
【０００４】
このような装置では、回転体４の一部がはみ出るために、踏段１とスカートパネル２との隙間を従来よりも広く取る必要があり、又、この回転体４を乗客の移動区間に亘って無数に配置しなければならない問題があった。
【０００５】
本発明は、上記の点に鑑みなされたもので、スカートパネルからのはみ出しのない安全装置を提供することを目的とするものである。
【課題を解決するための手段】
【０００６】
本発明は、乗客の乗る踏板がスカートパネルに面して傾斜状態で移動するエスカレータにおいて、該スカートパネルには該踏板側に突出しないように円盤を回動自在に設けるものである。
【発明の効果】
【０００７】
踏段とスカートパネルとの隙間については従来と同様であって、乗客の立ち位置に応じて上方に極めて適切に乗客の足などを誘導する部材をスカートパネルに面一に配置しているため、障害なく乗客の安全を図ることができる。また、従来装置のように部品点数もそれほど増えることはない。
【発明を実施するための最良の形態】
【０００８】
踏板に面するスカートパネルに、出っ張らないように面一に円盤を回動自在に設けるものである。
【実施例１】
【０００９】
以下、本発明の実施例について、図面を用いて説明する。図１は本発明に係る安全装置の要部全体図、図２は図１の部分拡大図である。
【００１０】
図中、図３及び図４と同一符号のものは同一のものを示すが、１０はスカートパネル２に設けられた開口部に面一に回動自在に設けられた本発明に係る円盤で、エスカレータの傾斜領域に亘って複数配列されている。この円盤１０の回転中心については、踏段１の踏板付近に配置される。
【００１１】
ここで、万一乗客の靴などがこの円盤１０に触れると、エスカレータ等の運転方向に関係なく摩擦を起こさないように乗客の動きに応じて円盤１０が回転する。その結果、基本的に踏段１とスカートパネル２との隙間に挟まれることはなくなる。一例として上昇運転の場合には、乗客が踏段１の前方に位置すれば、円盤１０は反時計方向に回転し、踏段１の中央から後方に位置すれば、時計方向に回転する力を乗客が円盤１０に与えることになり、不必要な摩擦は生じず、踏板から上方に向けて乗客の靴などを誘導して隙間に挟まらないように機能する。又、万一挟まっても円盤１０は簡単に回転するので、靴などを抜き取ることは極めて容易いことである。
【実施例２】
【００１２】
以上の説明では、円盤１０を単に回動自在にスカートパネルに設けた例を挙げているが、欄干内部方向に移動自在に取付けて、踏段１とスカートパネル２との隙間に挟まれた異物によって欄干内部方向に円盤が移動すれば、スイッチが働きエスカレータを停止させるようにすることもできる。
【産業上の利用可能性】
【００１３】
本発明は、エスカレータだけでなく、固定物に対向し隙間を隔てて移動体が移動するような構造・形態のものにも適用することができるものである。
【図面の簡単な説明】
【００１４】
【図１】本発明に係る安全装置の要部全体図である。
【図２】図１の部分拡大図である。
【図３】従来のエスカレータの全体側面図である。
【図４】従来の問題を説明する説明図である。
【図５】従来の安全装置を示す図である。
【符号の説明】
【００１５】
１   踏段
２  スカートパネル１０
３  靴
４  回転体
１０  円盤
【図１】
2006335557.tif 000003
【図２】
2006335557.tif 000004
【図３】
2006335557.tif 000005
【図４】
2006335557.tif 000006
【図５】
2006335557.tif 000007
(57)【要約】【課題】知識整理能力を向上させる教材を提供すること。学習、経験を計る試験方式を提供すること。【解決手段】シートの形態を取り、その内容が階層構造で項目数が１：２：１０（５＊２）を示し、その項目の領域に文字、図形、記号、絵、写真を埋めるもの。【選択図】図１。
2006335061.tif 000002
【特許請求の範囲】
【請求項１】
シートの形態を取り、その内容が階層構造で項目数が１：２：１０（５＊２）を示し、その項目の領域に文字、図形、記号、絵、写真を埋めることができるもの。
【発明の詳細な説明】
【技術分野】
【０００１】教材作成に関わる分野で、特に個性的な教育を目指す際に利用できる、教材、課題提示方式である。
【背景技術】
【０００２】個性的な教育を目指すため、種々の教材、システムが開発されている。しかし、学習進捗によって課題提示がされていて学習時間、習熟度の２要素でフォローされている。重要と思われる知識の分類、取捨、統合に関する教材が提供されていない。
【特許文献１】特開２００３−０２１９９９号
【発明の開示】
【発明が解決しようとする課題】
【０００３】知識整理能力を向上させる教材を提供すること。学習、経験を計る試験方式を提供すること。
【課題を解決するための手段】
【０００４】シートの形態を取り、その内容が階層構造で項目数が１：２：１０（５＊２）を示し、その項目の領域に文字、図形、記号、絵、写真を埋めることができるもの。
【発明の効果】
【０００７】従来の正解がある課題ではなく、個性的な教育のための教材、または試験問題の作成ができる。
【発明を実施するための最良の形態】
【０００８】シートの上部に階層の１段目として１つ領域を示し、２段目に２つの領域、３段目に１０（５掛ける２）の領域を示す。【０００９】シートの向き、階層の方向は、縦横どちらでも良い。【００１０】シートは複数ページに渡っても良い。【００１１】学習者、または受験者にあらかじめ典型的な例を示す。【００１２】領域を埋める情報には、『その他』を認めてもよい。
【図面の簡単な説明】
【００１３】
【図１】シートの例。
【図２】『典型的な例』の例。
【符号の説明】
１０第１階層の１項目、１１第２階層の２項目、１２第５階層の１０項目。
【図１】
2006335061.tif 000003
【図２】
2006335061.tif 000004